(57)【特許請求の範囲】
【請求項１】
本体を含み、前記本体は泥漿空間を含み、前記泥漿空間の中には泥漿提供機構が設けられ、前記泥漿提供機構は陶磁器型に泥漿を提供でき、また前記泥漿提供機構は泥漿の入れた陶磁器型を送ることもでき、前記泥漿空間の頂端には泥漿補充口が固定的に設けられ、前記泥漿空間の中には左右に延びている第一回転軸が回転できるように設けられ、前記泥漿空間の中にある前記第一回転軸には羽根が固定されており、前記泥漿空間の下側には送り空間が固定的に設けられ、前記送り空間の中には前後に延びている第二回転軸が回転できるように設けられ、前記送り空間の中にある前記第二回転軸には第一プーリーが固定的に設けられており、
前記送り空間の右側の前後端壁には前記送り空間と連通している予熱空間が対称的に設けられ、前記予熱空間の中には予熱機構が設けられ、前記予熱機構はマイクロ波放射器で前記陶磁器型を均一に予熱することができ、前記予熱空間の底端壁には第一スライド溝が固定的に設けられ、前記第一スライド溝の中には第一スライドブロックがスライドできるように設けられ、前記予熱空間の中の前端壁にはマイクロ波放射器が固定的に設けられ、前記予熱空間の中には第三回転軸が回転できるように設けられ、前記第三回転軸の後側には上下に延びている第四回転軸が回転できるように設けられ、前記予熱空間の中にある第四回転軸には第一回転輪が固定的に設けられ、前記第一回転輪には扇形歯が固定的に設けられており、
前記送り空間の前側には第一伝動空間が固定的に設けられ、前記第一伝動空間の中には本願発明の陶磁器製造設備全体に動力を提供し且つ本願発明の陶磁器製造設備の作動を制御できる動力機構が設けられ、前記泥漿空間の右側には第二伝動空間が固定的に設けられ、前記予熱空間の下側には第三伝動空間が固定的に設けられていることを特徴とする陶磁器製造設備。
【請求項２】
前記泥漿提供機構は前記泥漿空間を含み、前記泥漿空間の頂端には前記泥漿補充口が固定的に設けられ、前記泥漿空間の中には左右に延びている前記第一回転軸が回転できるように設けられ、前記泥漿空間の中にある前記第一回転軸には羽根が固定されており、前記第二伝動空間の中にある前記第一回転軸には第二プーリーが固定的に設けられていることを特徴とする請求項１に記載の陶磁器製造設備。
【請求項３】
前記泥漿空間の下側には前記送り空間が固定的に設けられ、前記送り空間と前記泥漿空間との間には制御空間が連通するように設けられ、前記制御空間の中には第二スライド溝が固定的に設けられ、前記第二スライド溝の中には第二スライドブロックがスライドできるように設けられ、前記第二スライドブロックの中には抜き穴が固定的に設けられ、前記送り空間の上端壁には第三スライド溝が固定的に設けられ、前記第三スライド溝の中には第三スライドブロックがスライドできるように設けられ、前記制御空間の後端壁の中には第四スライド溝が形成され、前記第四スライド溝の中には第四スライドブロックがスライドできるように設けられ、前記第三スライド溝と前記第四スライド溝との間には液圧管が連通するように設けられ、前記第三スライドブロックと前記液圧管との間には第一バネが連結されていることを特徴とする請求項２に記載の陶磁器製造設備。
【請求項４】
前記第四スライドブロックと前記液圧管との間には第二バネが連結され、前記送り空間の中には前後に延びている前記第二回転軸が回転できるように設けられ、前記送り空間の中にある前記第二回転軸には第一プーリーが固定的に設けられ、前記送り空間の中にある前記第二回転軸の右側には第五回転軸が回転できるように設けられ、前記第五回転軸には第三プーリーが固定的に設けられ、前記第一プーリーと前記第三プーリーとの間には第一ベルトが連結され、前記第一ベルトには前記陶磁器型が設けられていることを特徴とする請求項３に記載の陶磁器製造設備。
【請求項５】
前記予熱機構は前記予熱空間を含み、前記予熱空間の底端壁には前記第一スライド溝が固定的に設けられ、前記第一スライド溝の中には前記第一スライドブロックがスライドできるように設けられ、前記予熱空間の中の前端壁には前記マイクロ波放射器が固定的に設けられ、前記予熱空間の中には前記第三回転軸が回転できるように設けられ、前記第三回転軸の後側には上下に伸びている前記第四回転軸が回転できるように設けられていることを特徴とする請求項１に記載の陶磁器製造設備。
【請求項６】
前記予熱空間の中にある前記第四回転軸には前記第一回転輪が固定的に設けられ、前記第一回転輪には扇形歯が固定的に設けられ、前記第三回転軸には第二回転輪が固定的に設けられ、前記第二回転輪の右側には半円ラックが設けられ、前記第二回転輪の左側には阻みブロックが固定的に設けられ、前記阻みブロックと前記第一スライドブロックとには第一線が連結され、前記予熱空間の中の右端壁には前後に延びている第一連結ブロックが固定的に設けられ、前記阻みブロックと前記予熱空間の中にある前記第一連結ブロックとの間には第三バネが連結され、前記送り空間の中にある前記第一連結ブロックの中には第五回転軸が設けられ、前記第五回転軸には第三回転輪が固定的に設けられていることを特徴とする請求項５に記載の陶磁器製造設備。
【請求項７】
前記第三回転輪には移動ブロックが固定的に設けられ、前記予熱空間の中の左端壁には前後に延びている第二連結ブロックが固定的に設けられ、前記第二連結ブロックと前記第一連結ブロックとの間には第六回転軸が回転できるように設けられ、前記第六回転軸には回転輪が固定的に設けられ、前記第一連結ブロックの中には線穴が設けられ、前記阻みブロックと前記移動ブロックとの間において前記線穴の中には第二線が連結され、前記第一スライドブロックと前記第二連結ブロックとの間には第四バネが設けられ、前記第一連結ブロックの右端面には位置制限ブロックが固定的に設けられ、前記位置制限ブロックと前記移動ブロックとの間には第五バネが連結されていることを特徴とする請求項６に記載の陶磁器製造設備。
【請求項８】
前記動力機構は前記第一伝動空間を含み、前記泥漿空間の右側には第二伝動空間が固定的に設けられ、前記予熱空間の下側には前記第三伝動空間が固定的に設けられ、前記第二伝動空間の右側にはモーターが固定的に設けられ、前記モーターの左端面には左右に延びている第七回転軸が回転できるように設けられ、前記第一伝動空間の中にある前記第七回転軸には第一傘歯車が固定的に設けられ、前記第一伝動空間の中にある前記第二回転軸には第二傘歯車が固定的に設けられていることを特徴とする請求項２に記載の陶磁器製造設備。
【請求項９】
前記第二傘歯車と前記第一傘歯車とが噛合しており、前記第二伝動空間の中にある前記第七回転軸には第四プーリーが固定的に設けられ、前記第四プーリーと前記第二プーリーとの間には第二ベルトが回転できるように設けられ、前記モーターの右側には第三伝動空間が固定的に設けられ、前記モーターの右端面には第八回転軸が固定的に設けられ、前記第四回転軸が前記第三伝動空間の中に延びており、前記第三伝動空間の中にある前記第八回転軸には第三傘歯車が固定的に設けられ、前記第三伝動空間の中にある前記第四回転軸には第四傘歯車が固定的に設けられ、前記第四傘歯車が前記第三傘歯車と噛合していることを特徴とする請求項８に記載の陶磁器製造設備。
【発明の詳細な説明】
【技術分野】
【０００１】
本願発明は陶磁器生産分野を取り上げて、具体的には陶磁器製造設備である。
【背景技術】
【０００２】
経済の発展につれ、陶磁器はますます広く使われ、しかし、伝統的な陶磁器製造工程は時間がかかり、効率が低く、更に、手作りの陶磁器は作業者の腕前によって質が異なり、陶磁器の乾燥過程において均一に熱を受けることができるかは陶磁器の質を決め、市販されている陶磁器乾燥設備は素早く陶磁器を均一に予熱することができないため、作られた陶磁器にひび割れができてしまう可能性があり、従って、新型の陶磁器製造設備を設計し上記問題を解決する。
【先行技術文献】
【特許文献】
【０００３】
【特許文献１】中国特許出願公開第１０９３８２７３１号明細書
【発明の概要】
【発明が解決しようとする課題】
【０００４】
技術問題：陶磁器型に泥漿を提供し陶磁器型を予熱でき、高効率で一体化で、速い反応と多い機能とを備える陶磁器製造設備を提供すること。
【課題を解決するための手段】
【０００５】
上記の課題を解決するため、本願発明は以下の技術プランを採用する：本願発明の陶磁器製造設備は、本体を含み、前記本体は泥漿空間を含み、
前記泥漿空間の中には泥漿提供機構が設けられ、前記泥漿提供機構は陶磁器型に泥漿を提供でき、また前記泥漿提供機構は泥漿の入れた陶磁器型を送ることもでき、前記泥漿空間の頂端には泥漿補充口が固定的に設けられ、前記泥漿空間の中には左右に延びている第一回転軸が回転できるように設けられ、前記泥漿空間の中にある前記第一回転軸には羽根が固定されており、前記泥漿空間の下側には送り空間が固定的に設けられ、前記送り空間の中には前後に延びている第二回転軸が回転できるように設けられ、前記送り空間の中にある前記第二回転軸には第一プーリーが固定的に設けられ、
前記送り空間の右側の前後端壁には前記送り空間と連通している予熱空間が対称的に設けられ、前記予熱空間の中には予熱機構が設けられ、前記予熱機構はマイクロ波放射器で前記陶磁器型を均一に予熱することができ、前記予熱空間の底端壁には第一スライド溝が固定的に設けられ、前記第一スライド溝の中には第一スライドブロックがスライドできるように設けられ、前記予熱空間の中の前端壁にはマイクロ波放射器が固定的に設けられ、前記予熱空間の中には第三回転軸が回転できるように設けられ、前記第三回転軸の後側には上下に延びている第四回転軸が回転できるように設けられ、前記予熱空間の中にある第四回転軸には第一回転輪が固定的に設けられ、前記第一回転輪には扇形歯が固定的に設けられ、
前記送り空間の前側には第一伝動空間が固定的に設けられ、前記第一伝動空間の中には本願発明の陶磁器製造設備全体に動力を提供し且つ本願発明の陶磁器製造設備の作動を制御できる動力機構が設けられ、前記泥漿空間の右側には第二伝動空間が固定的に設けられ、前記予熱空間の下側には第三伝動空間が固定的に設けられている。
【０００６】
更の技術プラン、前記泥漿提供機構は前記泥漿空間を含み、前記泥漿空間の頂端には前記泥漿補充口が固定的に設けられ、前記泥漿空間の中には左右に延びている前記第一回転軸が回転できるように設けられ、前記泥漿空間の中にある前記第一回転軸には羽根が固定されており、前記第二伝動空間の中にある前記第一回転軸には第二プーリーが固定的に設けられている。
【０００７】
更の技術プラン、前記泥漿空間の下側には前記送り空間が固定的に設けられ、前記送り空間と前記泥漿空間との間には制御空間が連通するように設けられ、前記制御空間の中には第二スライド溝が固定的に設けられ、前記第二スライド溝の中には第二スライドブロックがスライドできるように設けられ、前記第二スライドブロックの中には抜き穴が固定的に設けられ、前記送り空間の上端壁には第三スライド溝が固定的に設けられ、前記第三スライド溝の中には第三スライドブロックがスライドできるように設けられ、前記制御空間の後端壁の中には第四スライド溝が形成され、前記第四スライド溝の中には第四スライドブロックがスライドできるように設けられ、前記第三スライド溝と前記第四スライド溝との間には液圧管が連通するように設けられ、前記第三スライドブロックと前記液圧管との間には第一バネが連結されている。
【０００８】
更の技術プラン、前記第四スライドブロックと前記液圧管との間には第二バネが連結され、前記送り空間の中には前後に延びている前記第二回転軸が回転できるように設けられ、前記送り空間の中にある前記第二回転軸には第一プーリーが固定的に設けられ、前記送り空間の中にある前記第二回転軸の右側には第五回転軸が回転できるように設けられ、前記第五回転軸には第三プーリーが固定的に設けられ、前記第一プーリーと前記第三プーリーとの間には第一ベルトが連結され、前記第一ベルトには前記陶磁器型が設けられている。
【０００９】
更の技術プラン、前記予熱機構は前記予熱空間を含み、前記予熱空間の底端壁には前記第一スライド溝が固定的に設けられ、前記第一スライド溝の中には前記第一スライドブロックがスライドできるように設けられ、前記予熱空間の中の前端壁には前記マイクロ波放射器が固定的に設けられ、前記予熱空間の中には前記第三回転軸が回転できるように設けられ、前記第三回転軸の後側には上下に伸びている前記第四回転軸が回転できるように設けられている。
【００１０】
更の技術プラン、前記予熱空間の中にある前記第四回転軸には前記第一回転輪が固定的に設けられ、前記第一回転輪には扇形歯が固定的に設けられ、前記第三回転軸には第二回転輪が固定的に設けられ、前記第二回転輪の右側には半円ラックが設けられ、前記第二回転輪の左側には阻みブロックが固定的に設けられ、前記阻みブロックと前記第一スライドブロックとには第一線が連結され、前記予熱空間の中の右端壁には前後に延びている第一連結ブロックが固定的に設けられ、前記阻みブロックと前記予熱空間の中にある前記第一連結ブロックとの間には第三バネが連結され、前記送り空間の中にある前記第一連結ブロックの中には第五回転軸が設けられ、前記第五回転軸には第三回転輪が固定的に設けられている。
【００１１】
更の技術プラン、前記第三回転輪には移動ブロックが固定的に設けられ、前記予熱空間の中の左端壁には前後に延びている第二連結ブロックが固定的に設けられ、前記第二連結ブロックと前記第一連結ブロックとの間には第六回転軸が回転できるように設けられ、前記第六回転軸には回転輪が固定的に設けられ、前記第一連結ブロックの中には線穴が設けられ、前記阻みブロックと前記移動ブロックとの間において前記線穴の中には第二線が連結され、前記第一スライドブロックと前記第二連結ブロックとの間には第四バネが設けられ、前記第一連結ブロックの右端面には位置制限ブロックが固定的に設けられ、前記位置制限ブロックと前記移動ブロックとの間には第五バネが連結されている。
【００１２】
更の技術プラン、前記動力機構は前記第一伝動空間を含み、前記泥漿空間の右側には第二伝動空間が固定的に設けられ、前記予熱空間の下側には前記第三伝動空間が固定的に設けられ、前記第二伝動空間の右側にはモーターが固定的に設けられ、前記モーターの左端面には左右に延びている第七回転軸が回転できるように設けられ、前記第一伝動空間の中にある前記第七回転軸には第一傘歯車が固定的に設けられ、前記第一伝動空間の中にある前記第二回転軸には第二傘歯車が固定的に設けられている。
【００１３】
更の技術プラン、前記第二傘歯車と前記第一傘歯車とが噛合しており、前記第二伝動空間の中にある前記第七回転軸には第四プーリーが固定的に設けられ、前記第四プーリーと前記第二プーリーとの間には第二ベルトが回転できるように設けられ、前記モーターの右側には第三伝動空間が固定的に設けられ、前記モーターの右端面には第八回転軸が固定的に設けられ、前記第四回転軸が前記第三伝動空間の中に延びており、前記第三伝動空間の中にある前記第八回転軸には第三傘歯車が固定的に設けられ、前記第三伝動空間の中にある前記第四回転軸には第四傘歯車が固定的に設けられ、前記第四傘歯車が前記第三傘歯車と噛合している。
【発明の効果】
【００１４】
本願発明設備は陶磁器型に自動的に泥漿を入れることができ、そして泥漿の入れた陶磁器型を予熱空間の中に送り、全方位の予熱を行い、予熱工程が全自動であり、予熱機構によって作業速度を向上させ、作業効率が高く、一体化程度が高く、泥漿を入れる機構は陶磁器型の位置に合わせて自動的に泥漿を入れることができ、外部で操作する必要がなく、陶磁器型が吹き掛け口に位置したとき本願発明が泥漿を吹き掛け、本願発明は動力源を一つだけ使用し、エネルギー利用率が高く、また、操作が簡単であり、工程が安全で高速である。
【図面の簡単な説明】
【００１５】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の機械構成略図
【図２】図２は図１のＡ―Ａの構成略図
【図３】図３は図１のＢ―Ｂの構成略図
【図４】図４は図２のＣ―Ｃの構成略図
【発明を実施するための形態】
【００１７】
図１〜４を参照し、本願発明の陶磁器製造設備は、本体１０を含み、前記本体１０は泥漿空間２３を含み、前記泥漿空間２３の中には泥漿提供機構９０が設けられ、前記泥漿提供機構９０は陶磁器型１５に泥漿を提供でき、また前記泥漿提供機構９０は泥漿の入れた陶磁器型を送ることもでき、前記泥漿空間２３の頂端には泥漿補充口１９が固定的に設けられ、前記泥漿空間２３の中には左右に延びている第一回転軸２１が回転できるように設けられ、前記泥漿空間２３の中にある前記第一回転軸２１には羽根２０が固定されており、前記泥漿空間２３の下側には送り空間１４が固定的に設けられ、前記送り空間１４の中には前後に延びている第二回転軸１８が回転できるように設けられ、前記送り空間１４の中にある前記第二回転軸１８には第一プーリー１７が固定的に設けられている。
【００１８】
前記送り空間１４の右側の前後端壁には前記送り空間１４と連通している予熱空間３７が対称的に設けられ、前記予熱空間３７の中には予熱機構９１が設けられ、前記予熱機構９１はマイクロ波放射器３８で前記陶磁器型１５を均一に予熱することができ、前記予熱空間３７の底端壁には第一スライド溝７２が固定的に設けられ、前記第一スライド溝７２の中には第一スライドブロック７３がスライドできるように設けられ、前記予熱空間３７の中の前端壁にはマイクロ波放射器３８が固定的に設けられ、前記予熱空間３７の中には第三回転軸４４が回転できるように設けられ、前記第三回転軸４４の後側には上下に延びている第四回転軸４７が回転できるように設けられ、前記予熱空間３７の中にある第四回転軸４７には第一回転輪４８が固定的に設けられ、前記第一回転輪４８には扇形歯４６が固定的に設けられている。
【００１９】
前記送り空間１４の前側には第一伝動空間５７が固定的に設けられ、前記第一伝動空間５７の中には本願発明の陶磁器製造設備全体に動力を提供し且つ本願発明の陶磁器製造設備の作動を制御できる動力機構９２が設けられ、前記泥漿空間２３の右側には第二伝動空間２５が固定的に設けられ、前記予熱空間３７の下側には第三伝動空間７０が固定的に設けられている。
【００２０】
前記泥漿提供機構９０は前記泥漿空間２３を含み、前記泥漿空間２３の頂端には前記泥漿補充口１９が固定的に設けられ、前記泥漿空間２３の中には左右に延びている前記第一回転軸２１が回転できるように設けられ、前記泥漿空間２３の中にある前記第一回転軸２１には羽根２０が固定されており、前記第二伝動空間２５の中にある前記第一回転軸２１には第二プーリー２４が固定的に設けられ、前記泥漿空間２３の下側には前記送り空間１４が固定的に設けられ、前記送り空間１４と前記泥漿空間２３との間には制御空間２２が連通するように設けられ、前記制御空間２２の中には第二スライド溝３０が固定的に設けられ、前記第二スライド溝３０の中には第二スライドブロック３１がスライドできるように設けられ、前記第二スライドブロック３１の中には抜き穴３２が固定的に設けられ、前記送り空間１４の上端壁には第三スライド溝１１が固定的に設けられ、前記第三スライド溝１１の中には第三スライドブロック１３がスライドできるように設けられ、前記制御空間２２の後端壁の中には第四スライド溝２８が形成され、前記第四スライド溝２８の中には第四スライドブロック２９がスライドできるように設けられ、前記第三スライド溝１１と前記第四スライド溝２８との間には液圧管２６が連通するように設けられ、前記第三スライドブロック１３と前記液圧管２６との間には第一バネ１２が連結され、前記第四スライドブロック２９と前記液圧管２６との間には第二バネ２７が連結され、前記送り空間１４の中には前後に延びている前記第二回転軸１８が回転できるように設けられ、前記送り空間１４の中にある前記第二回転軸１８には第一プーリー１７が固定的に設けられ、前記送り空間１４の中にある前記第二回転軸１８の右側には第五回転軸４９が回転できるように設けられ、前記第五回転軸４９には第三プーリー５０が固定的に設けられ、前記第一プーリー１７と前記第三プーリー５０との間には第一ベルト１６が連結され、前記第一ベルト１６には前記陶磁器型１５が設けられ、前記第二プーリー２４と前記第二回転軸１８とが回転するとき、前記第二プーリー２４が回転し前記第一回転軸２１を回転連動させ、前記第一回転軸２１が回転し前記羽根２０を回転連動させ、前記羽根２０が回転し前記泥漿空間２３の中にある泥漿を攪拌し、均一の混合状態を維持された前記泥漿は沈殿しなく、前記第二回転軸１８が回転し前記第一プーリー１７を回転連動させ、前記第一プーリー１７が回転し前記第一ベルト１６を回転させ、前記第一ベルト１６が前記陶磁器型１５を送り前記送り空間２３の中に入れ、前記第一ベルト１７が回転し前記陶磁器型１５を右方へ移動させ、前記陶磁器型１５が右方へ移動し前記第三スライドブロック１３を押して上方へスライドさせ、前記第三スライドブロック１３が押されて上方へスライドし前記液圧管２６によって前記第四スライドブロック２９を前方へスライドさせ、前記第四スライドブロック２９が前方にスライドし前記第二スライドブロック３１を前方へスライド連動させ、前記第二スライドブロック３１が前方へスライドし、前記泥漿空間２３の中にある前記泥漿が前記抜き穴３２によって前記陶磁器型１５の中に入り、前記陶磁器型１５が引き続き右方へ移動するとき、前記陶磁器型１５が前記第三スライドブロック１３を越え、前記第三スライドブロック１３が前記第一バネ１２の作用により初期位置に戻り、前記第四スライドブロック２９が前記第二バネ２７の作用により初期位置に戻り、前記第四スライドブロック２９が初期位置に戻ることにより前記第二スライドブロック３１が初期位置に戻り、このとき前記第二スライドブロック３１が前記泥漿空間２３を塞ぐ。
【００２１】
前記予熱機構９１は前記予熱空間３７を含み、前記予熱空間３７の底端壁には前記第一スライド溝７２が固定的に設けられ、前記第一スライド溝７２の中には前記第一スライドブロック７３がスライドできるように設けられ、前記予熱空間３７の中の前端壁には前記マイクロ波放射器３８が固定的に設けられ、前記予熱空間３７の中には前記第三回転軸４４が回転できるように設けられ、前記第三回転軸４４の後側には上下に伸びている前記第四回転軸４７が回転できるように設けられ、前記予熱空間３７の中にある前記第四回転軸４７には前記第一回転輪４８が固定的に設けられ、前記第一回転輪４８には扇形歯４６が固定的に設けられ、前記第三回転軸４４には第二回転輪４３が固定的に設けられ、前記第二回転輪４３の右側には半円ラック４５が設けられ、前記第二回転輪４３の左側には阻みブロック４２が固定的に設けられ、前記阻みブロック４２と前記第一スライドブロック７３とには第一線７４が連結され、前記予熱空間３７の中の右端壁には前後に延びている第一連結ブロック５１が固定的に設けられ、前記阻みブロック４２と前記予熱空間３７の中にある前記第一連結ブロック５１との間には第三バネ４１が連結され、前記送り空間１４の中にある前記第一連結ブロック５１の中には第五回転軸５２が設けられ、前記第五回転軸５２には第三回転輪５３が固定的に設けられ、前記第三回転輪５３には移動ブロック５４が固定的に設けられ、前記予熱空間３７の中の左端壁には前後に延びている第二連結ブロック３４が固定的に設けられ、前記第二連結ブロック３４と前記第一連結ブロック５１との間には第六回転軸３５が回転できるように設けられ、前記第六回転軸３５には回転輪３６が固定的に設けられ、前記第一連結ブロック５１の中には線穴３９が設けられ、前記阻みブロック４２と前記移動ブロック５４との間において前記線穴３９の中には第二線４０が連結され、前記第一スライドブロック７３と前記第二連結ブロック３４との間には第四バネ７１が設けられ、前記第一連結ブロック７３の右端面には位置制限ブロック５６が固定的に設けられ、前記位置制限ブロック５６と前記移動ブロック５４との間には第五バネ５５が連結され、前記第四回転軸４７が回転するとき、前記第四回転軸４７が前記第一回転輪４８を回転連動させ、前記第一回転輪４８が回転し前記扇形歯４６を回転連動させ、前記扇形歯４６が回転し前記扇形歯４６と前記半円ラック４５との噛合により前記第二回転輪４３を回転連動させ、前記第二回転輪４３が回転し前記阻みブロック４２を回転連動させ、前記阻みブロック４２が回転し前記第一線７４により前記第一スライドブロック７３を右方へスライド連動させ、このとき前記第一スライドブロック７３が前記予熱空間３７の中にある前記陶磁器型１５を送り出し、前記阻みブロック４２が前記第二線３９によって前記移動ブロック５４を回転連動させ、前記第一回転輪４８が前記第一ベルト１６にある前記陶磁器型１５を前記予熱空間３７にある前記回転輪３６に押したとき、前記第一回転輪４８が引き続き回転し、前記扇形歯４６と前記半円ラック４５とが噛み合わなくなり、前記阻みブロック４２が前記第三バネ４１の作用により初期位置に戻り、前記第一スライドブロック７３が前記第四バネ７１の作用により初期位置に戻り、前記第一スライドブロック７１が初期位置に戻り、このとき前記回転輪３６にある前記陶磁器型１５が前記第一スライドブロック７３に移動し、前記マイクロ波放射器３８が前記第一スライドブロック７３にある前記陶磁器型１５を予熱し、前記移動ブロック５４が前記第五バネ５５の作用により初期位置に戻る。
【００２２】
前記動力機構９２は前記第一伝動空間５７を含み、前記泥漿空間２３の右側には第二伝動空間２５が固定的に設けられ、前記予熱空間３７の下側には前記第三伝動空間７０が固定的に設けられ、前記第二伝動空間２５の右側にはモーター６５が固定的に設けられ、前記モーター６５の左端面には左右に延びている第七回転軸６１が回転できるように設けられ、前記第一伝動空間５７の中にある前記第七回転軸６１には第一傘歯車６０が固定的に設けられ、前記第一伝動空間５７の中にある前記第二回転軸１８には第二傘歯車５８が固定的に設けられ、前記第二傘歯車５８と前記第一傘歯車６０とが噛合しており、前記第二伝動空間２５の中にある前記第七回転軸６１には第四プーリー６２が固定的に設けられ、前記第四プーリー６２と前記第二プーリー２４との間には第二ベルト６３が回転できるように設けられ、前記モーター６５の右側には第三伝動空間７０が固定的に設けられ、前記モーター６５の右端面には第八回転軸６６が固定的に設けられ、前記第四回転軸４７が前記第三伝動空間７０の中に延びており、前記第三伝動空間７０の中にある前記第八回転軸６６には第三傘歯車６７が固定的に設けられ、前記第三伝動空間７０の中にある前記第四回転軸４７には第四傘歯車６８が固定的に設けられ、前記第四傘歯車６８が前記第三傘歯車６７と噛合しており、前記モーター６５が作動するとき、前記第七回転軸６１が回転し、前記第七回転軸６１が回転し前記第一傘歯車６０を回転連動させ、前記第一傘歯車６０が回転し前記第二傘歯車５８との噛合により前記第二回転軸１８を回転連動させ、前記モーター６５が作動するとき前記第七回転軸６１を回転させ、前記第七回転軸６１が回転し前記第四プーリー６２を回転連動させ、前記第四プーリー６２が回転し前記第二ベルト６３により前記第二プーリー２４を回転させ、前記モーター６５が作動し前記第八回転軸６６を回転させ、前記第八回転軸６６が回転し前記第三傘歯車６７を回転連動させ、前記第三傘歯車６７が回転し歯車噛合により前記第四傘歯車６８を回転連動させ、前記第四傘歯車６８が回転し前記第四回転軸４７を回転連動させる。
【００２３】
本願発明装置全体の機械作動順序は以下の通り：
一、前記第二プーリー２４と前記第二回転軸１８とが回転するとき、前記第二プーリー２４が回転し前記第一回転軸２１を回転連動させ、前記第一回転軸２１が回転し前記羽根２０を回転連動させ、前記羽根２０が回転し前記泥漿空間２３の中にある泥漿を攪拌し、均一の混合状態を維持された前記泥漿は沈殿しなく、前記第二回転軸１８が回転し前記第一プーリー１７を回転連動させ、前記第一プーリー１７が回転し前記第一ベルト１６を回転させ、前記第一ベルト１６が前記陶磁器型１５を送り前記送り空間２３の中に入れ、前記第一ベルト１７が回転し前記陶磁器型１５を右方へ移動させる。
二、前記陶磁器型１５が右方へ移動し前記第三スライドブロック１３を押して上方へスライドさせ、前記第三スライドブロック１３が押されて上方へスライドし前記液圧管２６によって前記第四スライドブロック２９を前方へスライドさせ、前記第四スライドブロック２９が前方にスライドし前記第二スライドブロック３１を前方へスライド連動させ、前記第二スライドブロック３１が前方へスライドし、前記泥漿空間２３の中にある前記泥漿が前記抜き穴３２によって前記陶磁器型１５の中に入る。
三、前記陶磁器型１５が引き続き右方へ移動するとき、前記陶磁器型１５が前記第三スライドブロック１３を越え、前記第三スライドブロック１３が前記第一バネ１２の作用により初期位置に戻り、前記第四スライドブロック２９が前記第二バネ２７の作用により初期位置に戻り、前記第四スライドブロック２９が初期位置に戻ることにより前記第二スライドブロック３１が初期位置に戻り、このとき前記第二スライドブロック３１が前記泥漿空間２３を塞ぐ。
四、前記第四回転軸４７が回転するとき、前記第四回転軸４７が前記第一回転輪４８を回転連動させ、前記第一回転輪４８が回転し前記扇形歯４６を回転連動させ、前記扇形歯４６が回転し前記扇形歯４６と前記半円ラック４５との噛合により前記第二回転輪４３を回転連動させ、前記第二回転輪４３が回転し前記阻みブロック４２を回転連動させ、前記阻みブロック４２が回転し前記第一線７４により前記第一スライドブロック７３を右方へスライド連動させ、このとき前記第一スライドブロック７３が前記予熱空間３７の中にある前記陶磁器型１５を送り出し、前記阻みブロック４２が前記第二線３９によって前記移動ブロック５４を回転連動させ、前記第一回転輪４８が前記第一ベルト１６にある前記陶磁器型１５を前記予熱空間３７にある前記回転輪３６に押す。
五、前記第一回転輪４８が引き続き回転し、前記扇形歯４６と前記半円ラック４５とが噛み合わなくなり、前記阻みブロック４２が前記第三バネ３１の作用により初期位置に戻り、前記第一スライドブロック７３が前記第四バネ７１の作用により初期位置に戻り、前記第一スライドブロック７１が初期位置に戻り、このとき前記回転輪３６にある前記陶磁器型１５が前記第一スライドブロック７３に移動し、前記マイクロ波放射器３８が前記第一スライドブロック７３にある前記陶磁器型１５を予熱し、前記移動ブロック５４が前記第五バネ５５の作用により初期位置に戻り、一体化程度が高い。
六、前記モーター６５が作動するとき、前記第七回転軸６１が回転し、前記第七回転軸６１が回転し前記第一傘歯車６０を回転連動させ、前記第一傘歯車６０が回転し前記第二傘歯車５８との噛合により前記第二回転軸１８を回転連動させ、前記モーター６５が作動するとき前記第七回転軸６１を回転させ、前記第七回転軸６１が回転し前記第四プーリー６２を回転連動させ、前記第四プーリー６２が回転し前記第二ベルト６３により前記第二プーリー２４を回転させ、前記モーター６５が作動し前記第八回転軸６６を回転させ、前記第八回転軸６６が回転し前記第三傘歯車６７を回転連動させ、前記第三傘歯車６７が回転し歯車噛合により前記第四傘歯車６８を回転連動させ、前記第四傘歯車６８が回転し前記第四回転軸４７を回転連動させ、本願発明は自動化程度が高く、各機構の伝動と協働とが良く、エネルギー利用率が高い。
【００２４】
本分野の技術者が明確できるのは、本願発明の総体精神や発想から離脱しない場合で、以上の実施例に各種な変形ができ、それらの変形がすべて本願発明の保護範囲にある。本願発明の保護方案は本願発明の権利要求書を標準とすべきである。
【要約】
【課題】本願発明は陶磁器製造設備を開示した。
【解決手段】
本体を含み、前記本体は泥漿空間を含み、前記泥漿空間の中には泥漿提供機構が設けられ、前記泥漿提供機構は陶磁器型に泥漿を提供でき、また前記泥漿提供機構は泥漿の入れた陶磁器型を送ることもでき、前記泥漿空間の頂端には泥漿補充口が固定的に設けられ、前記泥漿空間の中には左右に延びている第一回転軸が回転できるように設けられ、前記泥漿空間の中にある前記第一回転軸には羽根が固定されており、前記泥漿空間の下側には送り空間が固定的に設けられ、前記送り空間の中には前後に延びている第二回転軸が回転できるように設けられ、前記送り空間の中にある前記第二回転軸には第一プーリーが固定的に設けられている。
【選択図】図１【図１】
0006820452.tif 000002
【図２】
0006820452.tif 000003
【図３】
0006820452.tif 000004
【図４】
0006820452.tif 000005